(57)【特許請求の範囲】
【請求項１】
表示パネルと、
マトリックスの形態で配列され、外部の刺激に対してセンシング信号を出力するセンシング電極と、
第一の刺激に対してセンシング信号を出力する第一刺激群から第一の座標を演算し、前記第一の座標に基づいて前記表示パネルを複数の感知領域に分割し、第二の刺激に対してセンシング信号を出力する第二刺激群から第二の座標を演算する演算部と、
前記第二の刺激が前記第一の刺激の後に所定の感知時間の範囲内で発生し、かつ、前記第二の座標が前記複数の感知領域の中から選択された選択感知領域内にある場合、前記第一の座標ではなく前記第二の座標を刺激位置として判断する位置判断部と、
を含むことを特徴とするディスプレイ装置。
【請求項２】
前記第一刺激群と第二刺激群とは少なくとも一つのセンシング電極を含み、
前記第一の刺激あるいは前記第二の刺激により複数のセンシング電極からセンシング信号が出力された場合、前記演算部はセンシング信号を出力した前記複数のセンシング電極の座標の平均値で前記第一刺激群あるいは前記第二刺激群から前記第一の座標あるいは前記第二の座標を演算することを特徴とする請求項１に記載のディスプレイ装置。
【請求項３】
前記演算部は、
前記第一の座標が内部に含まれる長方形の第一感知領域と、
前記第一感知領域の外周からなる内辺と前記第一感知領域より大きな長方形からなる外辺とを含む第二感知領域と、
前記第一感知領域と第二感知領域とを除いた残りの表示パネルに対応する第三感知領域と、に前記表示パネルを分割することを特徴とする請求項２に記載のディスプレイ装置。
【請求項４】
前記第一感知領域は前記第一の座標のＸ座標から第一差異値を引いたＸ座標と前記第一の座標のＹ座標から第二差異値を引いたＹ座標とで構成された最小点と、前記第一の座標のＸ座標に第三差異値を足したＸ座標と前記第一の座標のＹ座標に第四差異値を足したＹ座標とで構成された最大点と、を対角線上で対向する頂点として有することを特徴とする、請求項３に記載のディスプレイ装置。
【請求項５】
前記第二感知領域の前記外辺は前記第一の座標のＸ座標から第一差異値より大きな第五差異値を引いたＸ座標と前記第一の座標のＹ座標から第二差異値より大きな第六差異値を引いたＹ座標とで構成された最小点と、前記第一の座標のＸ座標に第三差異値より大きな第七差異値を足したＸ座標と前記第一の座標のＹ座標に第四差異値より大きな第八差異値を足したＹ座標とで構成された最大点と、を対角線上で対向する頂点として有することを特徴とする、請求項４に記載のディスプレイ装置。
【請求項６】
前記選択感知領域は前記第二感知領域に対応することを特徴とする請求項３に記載のディスプレイ装置。
【請求項７】
前記第一の刺激の後に前記所定の感知時間の範囲内で第三の刺激が更に生じた場合、
前記位置判断部は刺激位置の判断ができないという誤謬信号を出力することを特徴とする請求項３に記載のディスプレイ装置。
【請求項８】
前記第一の刺激の後に前記所定の感知時間の範囲内で第三の刺激が更に生じた場合、
前記位置判断部は前記第二刺激群が含むセンシング電極の数と前記第三の刺激に対応する第三刺激群が含むセンシング電極の数とを把握して、含まれるセンシング電極の数が多い刺激群の座標を刺激位置として判断することを特徴とする請求項３に記載のディスプレイ装置。
【請求項９】
前記第一の刺激の後に前記所定の感知時間の範囲内で第三の刺激が更に生じた場合、
前記位置判断部は前記第二の座標と第三の刺激に対してセンシング信号を出力する第三刺激群から演算された第三の座標との平均の座標を刺激位置として判断することを特徴とする請求項３に記載のディスプレイ装置。
【請求項１０】
前記所定の感知時間と前記選択感知領域との少なくとも一つを設定するための設定部を更に含むことを特徴とする請求項１に記載のディスプレイ装置。
【請求項１１】
前記表示パネルは複数の画素が形成されている画素基板を含み、
前記センシング電極は前記画素基板に形成されることを特徴とする請求項１に記載のディスプレイ装置。
【請求項１２】
前記センシング電極に接続されているセンシング線を更に含み、
前記センシング線は刺激を感知するために所定のスキャン周期に応じてスキャンされ、
前記所定の感知時間は前記第一の刺激が生じた後から前記第一の刺激が感知されたスキャン周期に連続的な次のスキャン周期までであることを特徴とする請求項２に記載のディスプレイ装置。
【請求項１３】
前記位置判断部は、前記第二の座標が前記選択感知領域ではない前記感知領域に生じた場合、前記第一の座標と前記第二の座標との平均の座標を刺激位置として判断することを特徴とする請求項１に記載のディスプレイ装置。
【請求項１４】
前記位置判断部は、刺激位置の判断ができないという誤謬信号を出力することを特徴とする請求項１３に記載のディスプレイ装置。
【請求項１５】
第一の刺激に対してセンシング信号を出力する第一刺激群から第一の座標を演算し、
前記第一の座標に基づいて前記表示パネルを複数の感知領域に分割し、
第二の刺激に対してセンシング信号を出力する第二刺激群から第二の座標を演算し、
前記第二の刺激が前記第一の刺激の後に所定の感知時間の範囲内で発生し、かつ、前記第二の座標が前記複数の感知領域の中から選択された選択感知領域内にある場合、前記第一の座標ではなく前記第二の座標を刺激位置として判断すること、
を含むことを特徴とする外部の刺激に対してセンシング信号を出力するセンシング電極を含む表示パネルを持つディスプレイ装置の制御方法。
【発明の詳細な説明】
【技術分野】
【０００１】
本発明はディスプレイ装置およびその制御方法に係わるものであり、より詳しくはタッチパネルを含むディスプレイ装置およびその制御方法に関するものである。
【背景技術】
【０００２】
一般的にタッチパネルは、液晶表示パネルのようなディスプレイパネルの画面上に現れた指示内容を人の手や物体で選択することができるようディスプレイ装置の最上層に具備される。タッチパネルを含むディスプレイ装置は、キーボードやマウスのような別途の入力装置が必要ないため、その使用が増加している。一方、最近、外部からの接触を感知するための減圧センサがパネルの形で別途に設けられることなく、ディスプレイパネルの内部に設けられる内蔵型タッチパネルが開発されている。
【０００３】
人の手やポインタがタッチパネルに接触することによって刺激が生じると、この生じた刺激により映像信号が制御されるが、刺激が空間的あるいは時間的に重複して生じる場合、刺激が正確に感知されない問題点がある。
【０００４】
また、使用者が体の一部、特に指を習慣的にタッチパネルに接触させる場合、刺激が正確に感知されない。
【発明の開示】
【発明が解決しようとする課題】
【０００５】
したがって、本発明の目的は、刺激に対して効率的に反応し、感知率が改善されたディスプレイ装置およびその制御方法を提供することである。
【０００６】
また本発明の他の目的は、重複して刺激が生じる場合、いずれか一つの刺激を選択するディスプレイ装置およびその制御方法を提供することである。
【課題を解決するための手段】
【０００７】
前記目的を達成するために、本発明によるディスプレイ装置は、表示パネルと、マトリ
ックスの形態で配列されて外部の刺激に対してセンシング信号を出力するセンシング電極
と、第一の刺激に対してセンシング信号を出力する第一刺激群から第一の座標を演算し、第一の座標に基づいて表示パネルを複数の感知領域に分割し、第二の刺激に対してセンシング信号を出力する第二刺激群から第二の座標を演算する演算部と、第二の刺激が前記第一の刺激の後に所定の感知時間の範囲内で発生し、かつ、第二の座標が前記複数の感知領域の中から選択された選択感知領域内にある場合、第一の座標ではなく第二の座標を刺激位置として判断する位置判断部と、を含むことを特徴とする。
【０００８】
ここで、第一刺激群と第二刺激群とは少なくとも一つのセンシング電極を含み、第一の刺激あるいは第二の刺激により複数のセンシング電極からセンシング信号が出力された場合、演算部はセンシング信号を出力した複数のセンシング電極の座標の平均値で第一刺激群あるいは第二刺激群から第一の座標あるいは第二の座標を演算する。
【０００９】
ここで、演算部は、第一の座標が内部に含まれる長方形の第一感知領域と、第一感知領域の外周からなる内辺と第一感知領域より大きな長方形からなる外辺とを含む第二感知領域と、第一感知領域と第二感知領域とを除いた残りの表示パネルに対応する第三感知領域と、に表示パネルを分割する。
【００１０】
ここで、第一感知領域は第一の座標のＸ座標から第一差異値を引いたＸ座標と第一の座標のＹ座標から第二差異値を引いたＹ座標とで構成された最小点と、第一の座標のＸ座標に第三差異値を足したＸ座標と第一の座標のＹ座標に第四差異値を足したＹ座標とで構成された最大点と、を対角線上で対向する頂点として有する。
【００１１】
ここで、第二感知領域の外辺は第一の座標のＸ座標から第一差異値より大きな第五差異値を引いたＸ座標と第一の座標のＹ座標から第二差異値より大きな第六差異値を引いたＹ座標とで構成された最小点と、第一の座標のＸ座標に第三差異値より大きな第七差異値を足したＸ座標と第一の座標のＹ座標に第四差異値より大きな第八差異値を足したＹ座標とで構成された最大点と、を対角線上で対向する頂点として有する。
【００１２】
また、選択感知領域は第二感知領域に対応する。
【００１３】
また、第一の刺激の後に前記所定の感知時間の範囲内で第三の刺激が更に生じた場合、位置判断部は刺激位置の判断ができないという誤謬信号を出力する。
【００１４】
また、第一の刺激の後に前記所定の感知時間の範囲内で第三の刺激が更に生じた場合、位置判断部は第二刺激群が含むセンシング電極の数と第三の刺激に対応する第三刺激群が含むセンシング電極の数とを把握して、含まれるセンシング電極の数が多い刺激群の座標を刺激位置として判断する。
【００１５】
また、第一の刺激の後に所定の感知時間の範囲内で第三の刺激が更に生じた場合、位置判断部は第二の座標と第三の刺激に対してセンシング信号を出力する第三刺激群から演算された第三の座標との平均の座標を刺激位置として判断する。
【００１６】
また、前記所定の感知時間と選択感知領域との少なくとも一つを設定するための設定部を更に含む。
【００１７】
また、表示パネルは複数の画素が形成されている画素基板を含み、センシング電極は画素基板に形成される。
【００１８】
また、ディスプレイ装置は、センシング電極に接続されているセンシング線を更に含み、センシング線は刺激を感知するために所定のスキャン周期に応じてスキャンされ、前記所定の感知時間は第一の刺激が生じた後から第一の刺激が感知されたスキャン周期に連続的な次のスキャン周期までである。
【００１９】
また、位置判断部は、第二の座標が選択感知領域ではない感知領域に生じた場合、第一の座標と第二の座標との平均の座標を刺激位置として判断する。
【００２０】
ここで、位置判断部は、刺激位置の判断ができないという誤謬信号を出力する。
【００２１】
また、目的を達成するために、外部の刺激に対してセンシング信号を出力するセンシング電極を含む表示パネルを持つ本発明によるディスプレイ装置の制御方法は、第一の刺激に対してセンシング信号を出力する第一刺激群から第一の座標を演算し、第一の座標に基づいて表示パネルを複数の感知領域に分割し、第二の刺激に対してセンシング信号を出力する第二刺激群から第二の座標を演算し、第二の刺激が第一の刺激の後に所定の感知時間の範囲内で発生し、かつ、第二の座標が複数の感知領域の中から選択された選択感知領域内にある場合、第一の座標ではなく第二の座標を刺激位置として判断すること、を含むことを特徴とする。
【００２２】
ここで、表示パネルを複数の感知領域に分割することは、第一刺激群のＸ座標から第一差異値を引いたＸ座標と第一刺激群のＹ座標から第二差異値を引いたＹ座標とで構成された最小点と、第一刺激群のＸ座標に第三差異値を足したＸ座標と第一刺激群のＹ座標に第四差異値を足したＹ座標とで構成された最大点と、を演算し、第一刺激群の座標を含む第一感知領域を設定することを含む。
【００２３】
ここで、表示パネルを複数の感知領域に分割することは、第一感知領域の外周からなる内辺と第一感知領域より大きな長方形からなる外辺とを含む第二感知領域を設定することを更に含み、第二感知領域の外辺は、第一刺激群のＸ座標から第一差異値より大きな第五差異値を引いたＸ座標と第一刺激群のＹ座標から第二差異値より大きな第六差異値を引いたＹ座標とで構成された最小点と、第一刺激群のＸ座標に第三差異値より大きな第七差異値を足したＸ座標と第一刺激群のＹ座標に第四差異値より大きな第八差異値を足したＹ座標とで構成された最大点と、を対角線上で対向する頂点として有する。
【００２４】
また、第一の刺激の後に前記所定の感知時間の範囲内で第三の刺激が更に生じた場合、刺激位置の判断ができないという誤謬信号を出力することを更に含む。
【００２５】
また、刺激群はセンシング信号を出力する複数のセンシング電極を含み、第一の刺激の後に前記所定の感知時間の範囲の内で第三の刺激が更に生じた場合、本発明のディスプレイ装置の制御方法は、第二刺激群が含むセンシング電極の数と第三の刺激に対応する第三刺激群が含むセンシング電極の数とを把握し、より多いセンシング電極を含む刺激群の座標を刺激位置として判断すること、を更に含む。
【００２６】
また、本発明のディスプレイ装置の制御方法は、第一の刺激の後に前記所定の感知時間の範囲内で第三の刺激が更に生じた場合、第二刺激群の座標と第三の刺激に対応する第三刺激群の座標とを平均し、平均した座標を刺激位置として判断することを更に含む。
【００２７】
また、表示パネルはセンシング電極に接続されているセンシング線を更に含み、本発明のディスプレイ装置の制御方法は、刺激を感知するために所定のスキャン周期に応じてセンシング線をスキャンすることを更に含み、前記所定の感知時間は第一の刺激が生じた後から第一の刺激が感知されたスキャン周期に連続的な次のスキャン周期までである。
【００２８】
また、本発明のディスプレイ装置の制御方法は、第二の刺激が選択感知領域ではない感知領域に生じた場合、第一刺激群の座標記第二刺激群の座標との平均の座標を刺激位置として判断することを含む。
【００２９】
ここで、本発明のディスプレイ装置の制御方法は、刺激位置の判断ができないという誤謬信号を出力することを更に含む。
【発明の効果】
【００３０】
以上の説明のように本発明によれば、刺激に対して効率的に反応し、感知率が増加するディスプレイ装置およびその制御方法が提供される。
【００３１】
また本発明によれば、重複して刺激が生じる場合、いずれか一つの刺激を選択するディスプレイ装置およびその制御方法が提供される。
【発明を実施するための最良の形態】
【００３２】
以下、図面を参照して本発明の実施形態について、本発明の属する技術分野で通常の知識を持つ者が容易に実施できるよう詳しく説明する。本発明は様々な形態で実現できることであって、ここで説明する実施形態に限られることではない。本発明を明確に説明するために説明に直接に関係ない部分は省略して、明細書の全体を通じて同一あるいは類似の構成要素には同一の参照部号をつけることにする。
【００３３】
図１は、本発明の第一実施形態によるディスプレイ装置の制御ブロック図である。
【００３４】
図１に示されているように、ディスプレイ装置は画素基板１００ａと、複数の駆動部２１０、２２０と、複数のセンシング部２３０、２４０と、設定部２５０と、これらを制御する信号制御部３００とを含む。
【００３５】
画素基板１００ａは、カラーフィルター層が形成されている上部基板を含む液晶パネルを含んでもよく、あるいは画素１３０の上部に有機発光層が形成されている有機発光パネルを含んでもよい。すなわち、画素基板１００ａは、表示パネル（図２の１００）を形成する一つの構成要素に該当する。画素基板１００ａには、画素１３０を形成するため第一方向に延長されているゲート線１１０と、ゲート線１１０と絶縁され、ゲート線１１０と交差して画素１３０を定義するデータ線１２０と、ゲート線１１０およびデータ線１２０の交差点に形成されている薄膜トランジスタ（図示せず）とが形成される。
【００３６】
また、画素基板１００ａには、外部からの刺激に反応して所定の電気的信号を生成するセンシング電極１４１、１４２と、センシング電極１４１、１４２に接続されている複数のセンシング線１５０、１６０とが形成される。外部からの刺激が生じると、画素基板１００ａの上部の全面に印加されている共通電圧Ｖｃｏｍがセンシング電極１４１、１４２に伝達され、伝達された電気的信号はセンシング電極１４１、１４２及びセンシング線１５０、１６０を通じてセンシング部２３０、２４０に出力される。センシング電極１４１、１４２は画素基板１００ａの全体に均一に配列され、刺激が生じた地点のＹ位置情報を知らせるＹセンシング電極１４１とＸ位置情報を知らせるＸセンシング電極１４２とを含む。Ｙセンシング電極１４１はＹセンシング線１５０に接続され、Ｘセンシング電極１４２はＸセンシング線１６０に接続される。Ｙセンシング線１５０はゲート線１１０に対して平行に配列され、Ｘセンシング線１６０はデータ線１２０に対して平行に配列される。センシング電極１４１、１４２は薄膜トランジスタと同一の生成工程によって形成され、各画素１３０ごとに設けられても、複数の画素１３０ごとに一定の間隔を持って設けられてもよい。また、Ｙセンシング電極１４１とＸセンシング電極１４２とが一つの画素１３０に含まれてもよく、それぞれ別々の画素１３０に含まれてもよい。本実施形態によるディスプレイ装置は、刺激を感知するための感知部としてセンシング電極を表示パネル１００の内部に有する内蔵型タッチパネルに該当する。しかし、後に説明する本発明の特徴は内蔵型タッチパネルに限らず、タッチパネルが外部に含まれる別のディスプレイ装置にも適用できる。
【００３７】
ゲート駆動部２１０は、スキャン駆動部（ｓｃａｎ  ｄｒｉｖｅｒ）とも言われ、ゲートオン電圧Ｖｏｎとゲートオフ電圧Ｖｏｆｆとの組合からなるゲート信号をゲート線１１０に印加する。
【００３８】
データ駆動部２２０は、ソース駆動部（ｓｏｕｒｃｅ  ｄｒｉｖｅｒ）とも言われ、信号制御部３００から出力される映像信号をアナログ信号に変換し、データ線１２０を通じて画素１３０に供給する。
【００３９】
Ｙセンシング部２３０はＹセンシング線１５０に接続され、Ｘセンシング部２４０はＸセンシング線１６０に接続されて、各センシング線１５０、１６０から入力されるセンシング信号をデジタル信号に変換して信号制御部３００に出力する。また、Ｙセンシング部２３０及びＸセンシング部２４０は、信号制御部３００から入力されるスキャン信号に応じてセンシング線１５０、１６０を逐次的にキャンするスイッチング素子などを含む。センシング線１５０、１６０はスキャン信号により特定の方向に沿って逐次的にスキャンされ、刺激によって生成されたセンシング信号はスキャンされたセンシング線１５０、１６０を通じてセンシング部２３０、２４０に伝達される。センシング部２３０、２４０はゲート駆動部２１０及びデータ駆動部２２０といった駆動チップを含んで画素基板１００ａに接続されてもよく、ゲート駆動部２１０とデータ駆動部２００とに実装されてもよい。
【００４０】
信号制御部３００は、タイミングコントローラーと呼ばれる制御ブロックを含む。信号制御部３００は、様々な制御信号をゲート駆動部２１０、データ駆動部２２０及びセンシング部２３０、２４０に出力する。また、信号制御部３００は、外部ソース（図示せず）から入力された映像信号を表示パネル１００に供給し、センシング部２３０、２４０から出力されたセンシング信号を利用して刺激の位置を判断し、刺激位置を外部ソースに出力する。
【００４１】
信号制御部３００は、垂直同期開始信号（ｖｅｒｔｉｃａｌ  ｓｙｎｃｈｒｏｎｉｚａｔｉｏｎ  ｓｔａｒｔ  ｓｉｇｎａｌ；ＳＴＶ）と、ゲートオン信号の出力タイミングを制御するゲートクロック信号（ｇａｔｅ  ｃｌｏｃｋ  ｓｉｇｎａｌ；ＣＰＶ）と、ゲートオン信号の幅を限定するゲートオンイネイブル信号（ｇａｔｅ  ｏｎ  ｅｎａｂｌｅ  ｓｉｇｎａｌ；ＯＥ）とをゲート駆動部２１０に出力する。信号制御部３００は、映像信号に対応するデータ信号をデータ線１２０に印加する命令のロード信号（ｌｏａｄ  ｓｉｇｎａｌ；ＬＯＡＤまたはＴＰ）と、データ信号の極性を反転させる反転制御信号（ｒｅｖｅｒｓｅ  ｃｏｎｔｒｏｌ  ｓｉｇｎａｌ；ＲＶＳ）と、水平クロック信号などをデータ駆動部２２０に出力する。信号制御部３００は、センシング線１５０、１６０をスキャンするためのセンシングスキャン信号及びクロック信号などをセンシング部２３０、２４０に出力する。
【００４２】
信号制御部３００は、刺激に対する刺激位置を外部ソースに出力するための演算部３１０と位置判断部３２０とを含む。演算部３１０は、外部で生じた第一の刺激に対するセンシング信号を出力するセンシング電極１４１、１４２の座標に基づいて表示パネル１００を複数の感知領域Ｉ、ＩＩ、ＩＩＩに分割する演算を行う。位置判断部３２０は、第一の刺激の後に第二の刺激が生じた場合、刺激位置を判断して、この判断した刺激位置を外部ソースに出力する。本実施形態によると、表示パネル１００に刺激が与えられると、Ｙセンシング電極１４１とＸセンシング電極１４２とがセンシング信号を生成し、位置判断部３２０が、センシング信号が伝達されたセンシング線１５０、１６０を把握して刺激が生じた位置を２次元座標として認識する。説明の便宜のために、第一の刺激に対するセンシング信号を出力するＹセンシング電極１４１とＸセンシング電極１４２との位置を刺激点として定義する。本実施形態によると、第一の刺激に対する刺激位置は一つの座標、第一刺激点に対応する。
【００４３】
図２は、本実施形態によるディスプレイ装置の感知領域を示す図面である。
【００４４】
図面に示されているように、第一の刺激が表示パネル１００に与えられる場合、演算部３１０は第一の刺激に対する第一刺激点の座標に基づいて表示パネル１００を第一感知領域Ｉと第二感知領域ＩＩと第三感知領域ＩＩＩとに分割するための演算を行う。図面に示されているように、第一の刺激に対する第一刺激点の座標は（ｘ１、ｙ１）である。表示パネル１００は、第一刺激点の座標が内部に含まれる長方形の第一感知領域Ｉと、第一感知領域Ｉの外周からなる内辺と第一感知領域Ｉより大きな長方形からなる外辺とを含む第二感知領域ＩＩと、第一感知領域Ｉと第二感知領域ＩＩとを除いた残りの領域を含む第三感知領域ＩＩＩとに分割される。
【００４５】
第一感知領域Ｉは、第一刺激点のＸ座標ｘ１から第一差異値ａを引いたＸ座標と第一刺激点のＹ座標ｙ１から第二差異値ｂを引いたＹ座標とで構成される第一最小点Ａと、第一刺激点のＸ座標ｘ１に第三差異値ｃを足したＸ座標と第一刺激点のＹ座標ｙ１に第四差異値ｄを足したＹ座標とで構成される第一最大点Ｂと、を対角線上で対向する頂点として持つ長方形である。
【００４６】
第二感知領域ＩＩの内辺は第一感知領域Ｉの外周に対応し、外辺は第一刺激点のＸ座標ｘ１から第四差異値ｅを引いたＸ座標と第一刺激点のＹ座標ｙ１から第五差異値ｆを引いたＹ座標とで構成される第二最小点Ｃと、第一刺激点のＸ座標ｘ１に第六差異値ｇを足したＸ座標と第一刺激点のＹ座標ｙ１に第八差異値ｈを足したＹ座標とで構成される第二最大点Ｄと、を対角線上で対向する頂点として持つ長方形である。
【００４７】
第二感知領域ＩＩの外辺が内辺より大きな長方形であるため、第五差異値ｅは第一差異値ａより大きく、第六差異値ｆは第二差異値ｂより大きく、第七差異値ｇは第三差異値ｃより大きく、第八差異値ｈは第四差異値ｄより大きい。第一差異値ａ〜第八差異値ｈは信号制御部３００に格納されており、演算部３１０は第一刺激点の座標が把握されると第一差異値ａ〜第八差異値ｈを利用して第一感知領域Ｉと第二感知領域ＩＩとを構成する頂点を演算する。
【００４８】
第一刺激が生じた後、複数の感知領域Ｉ、ＩＩ、ＩＩＩの中でいずれか一つの感知領域、すなわち選択感知領域に第二の刺激が生じると、位置判断部３２０は第一刺激点ではなく第二刺激点に対する座標を刺激位置として判断する。ただし、位置判断部３２０は、第一の刺激が生じた後、所定の感知時間の範囲の内で第二の刺激が生じた場合にのみ第二の刺激の刺激点の座標を刺激位置と見なす。前述のようにセンシング部２３０、２４０は刺激を感知するためにセンシング線１５０、１６０をスキャンし、刺激に対するセンシング信号はセンシング線１５０、１６０のスキャン周期ごとにセンシング部２３０、２４０に入力される。表示パネル１００に複数の刺激が与えられると、刺激が同時に与えられない限り刺激は一定の間隔（時間差）で感知され、最も短い間隔はスキャン周期に対応する。使用者が非常に短い間隔（たとえばスキャン周期）で重複的に表示パネル１００に刺激を与える場合、最初の刺激の方より二番目の刺激の方が使用者の意図の刺激である場合が多い。この場合、最初の刺激の第一刺激点ではなく第二刺激点を実際に使用者が望む制御位置と見なす。使用者が最初の刺激の後に実質的に感知してほしい部分を選択感知領域に指定して、第二の刺激が刺激位置として判断される。選択感知領域は、第一刺激点を中心にして人の手の大きさに対応する面積に設けられる。本実施形態によるディスプレイ装置は、第二感知領域ＩＩを選択感知領域に設定し、第二感知領域ＩＩに第二の刺激が生じると、第二の刺激が生じた第二刺激点を刺激位置として判断する。すなわち、このように表示パネル１００を複数の感知領域Ｉ、ＩＩ、ＩＩＩに分割して第二の刺激を刺激位置として判断すると、複数の刺激の中で使用者が実際に望む位置に対して映像信号が制御できる。すなわち、第一の刺激が生じた後、第二感知領域ＩＩで生じた刺激を使用者が制御を望む部分と見なして、第二刺激点の座標を刺激位置として判断する。これによって使用者が実際に望んだ刺激に応じて映像信号が制御され、刺激に対する誤謬発生率の減少が可能である。選択感知領域に位置する第二刺激点を刺激位置として判断するためには、第二の刺激は第一の刺激の後に所定の感知時間の範囲の内で生じなければならない。本実施形態によると、感知時間の範囲はスキャン周期に対応してもよい。一例に、一つのスキャン周期に第一の刺激が生じて、第一の刺激が検出されたスキャン周期に連続的な次のスキャン周期に第二の刺激が生じた場合にのみ第二刺激点を刺激位置として判断する。例えば、スキャン周期が３ｍｓの場合、３ｍｓの間に第一の刺激が生じ、その次のスキャン周期に該当する３ｍｓの間に第二の刺激が生じた場合、第二刺激点が刺激位置となる。第一の刺激が生じた後、最大６ｍｓ内に生じた第二の刺激に対して本発明の適用が可能である。
【００４９】
第一の刺激が検出されたスキャン周期の内に第二の刺激が生じた場合、第一の刺激と第二の刺激とは同時に生じたとして判断される。また、所定の感知時間から外れて第二の刺激が生じた場合、すなわち第一の刺激が生じたスキャン周期の後の次のスキャン周期が経過してから第二の刺激が生じた場合、第二の刺激は独立した第一の刺激として把握される。
【００５０】
第二の刺激が選択感知領域ではなく第一感知領域Ｉあるいは第三感知領域ＩＩＩに生じた場合、ディスプレイ装置は刺激位置が把握できないという誤謬信号を出力してもよい。また、演算部３１０は第一の刺激に対応する第一刺激点と第二の刺激に対応する第二刺激点との中間に対応する座標を演算して平均座標を求めて刺激位置として把握してもよい。
【００５１】
設定部２５０は、感知時間と選択感知領域との少なくとも一つが設定できる使用者インターフェイス（ｕｓｅｒ  ｉｎｔｅｒｆａｃｅ；ＵＩ）に対応する。使用者は、設定部２５０を利用して感知時間、すなわちセンシング線１５０、１６０をスキャンする時間の設定や第一差異値ａ〜第八差異値ｈを任意に設定してもよい。また、使用者は、設定部２５０を通じて第二感知領域ＩＩではなく第一感知領域Ｉあるいは第三感知領域ＩＩＩを選択感知領域に変更してもよい。設定部２５０は遠隔制御装置、キーボード、マウスなどのような使用者入力ユニットと表示パネル１００にグラフィックインターフェイスを表示するためのＵＩジェネレータとを含んでもよい。使用者は、設定部２５０を利用して刺激を感知する制御方法を様々に変更または設定してもよい。
【００５２】
図３は、本発明の第二実施形態によるディスプレイ装置の刺激群を示す図面である。図３に示されているように、第一の刺激と第二の刺激とにより一つではなく複数の刺激点からセンシング信号が生成される。センシング電極１４１、１４２は非常に密集して分布しているため、一般的に人の指またはポインタの面積は、複数のセンシング電極１４１、１４２を刺激するほどに大きい。すなわち、一つの刺激により複数のセンシング電極１４１、１４２が反応することがある。以下、刺激に対してセンシング信号を出力する隣接したセンシング電極１４１、１４２の集合を刺激群と定義する。一つの刺激群に含まれる刺激点からは同時にセンシング信号が出力されるとする。第一の刺激に対応する第一刺激群は７個の刺激点を含み、第二の刺激に対する第二刺激群は４個の刺激点を含む。演算部３１０は第一刺激群に含まれる７個の刺激点の座標の平均から刺激位置に対する一つの座標を算出し、第二刺激群に含まれる４個の刺激点の座標の平均から一つの座標を算出する。複数のセンシング電極１４１、１４２からセンシング信号が出力される場合、これを代表する一地点の座標を算出する方法は様々な方法に代替できる。
【００５３】
演算部３１０は、第一刺激群の座標に基づいて第一感知領域Ｉ、第二感知領域ＩＩに対する演算を行う。
【００５４】
図４は、本発明の第三実施形態によるディスプレイ装置の第三の刺激に対する制御方法を説明するための図面である。図４に示されているように、所定の感知時間の範囲の内で第二の刺激に連続して第三の刺激が生じる場合、第二の刺激と第三の刺激とが重複し正確な刺激位置の判断ができなくなる。
【００５５】
本実施形態によると、第三の刺激がどの感知領域Ｉ、ＩＩ、ＩＩＩから生じたのかということに関係なく、ディスプレイ装置は刺激が重複して正確な位置が把握できないという情報を使用者に知らせる誤謬信号を生成して出力する。
【００５６】
ディスプレイ装置は、誤謬信号としてオーディオ信号を出力するためのスピーカまたは誤謬信号に応じて点滅する発光ダイオードを含んでもよい。また、ディスプレイ装置は、追加の刺激が必要だと知らせるウィンドウを表示パネル１００に表示するためにＵＩ（ｕｓｅｒ  ｉｎｔｅｒｆａｃｅ）ジェネレータを含んでもよい。
【００５７】
他の実施形態によれば、演算部３１０は第二刺激点と第三刺激点との中間点の座標を演算し、位置判断部３２０は中間点を刺激位置として判断してもよい。
【００５８】
また、他の実施形態によれば、位置判断部３２０は、第二刺激群に含まれる刺激点の数と第三刺激群に含まれる刺激点の数とを把握して、より多い刺激点が含まれる刺激群の座標を刺激位置として判断してもよい。すなわち、センシング信号を出力する刺激点の数が多ければ多いほど使用者が刺激を強く与えたと判断する。
【００５９】
使用者は、前述の様々な実施形態が実現できるように設定部２５０を通じて制御方法を設定してもよい。
【００６０】
図５は、本発明の第四実施形態によるディスプレイ装置の感知領域を示す図面である。本実施形態によると、第一刺激点と第二刺激点との中間点（★；ｘ’、ｙ’）に基づいて感知領域Ｉ、ＩＩ、ＩＩＩを形成する。本実施形態では、感知時間の範囲を一回のスキャン周期ではなく二回または三回のスキャン周期に設定する。例えば、第一の刺激と第二の刺激とが約６ｍｓ程度の内に全生じた場合、本実施形態では第一刺激点ではなく第一刺激点と第二刺激点との中間点（ｘ’、ｙ’）を基準にして感知領域Ｉ、ＩＩ、ＩＩＩを設定する。その後、選択感知領域で第三の刺激が生じると、位置判断部３２０は第三刺激点（ｘ３、ｙ３）を刺激位置として判断する。本実施形態は、使用者が表示パネル１００の一地点を明確に刺激せずに掠めるように表示パネル１００に刺激を与える場合に主に適用されてもよい。すなわち、所定の感知時間の範囲の間に複数の刺激が生じる場合、複数の刺激点を代表する刺激点（ｘ’、ｙ’）に基づいて感知領域Ｉ、ＩＩ、ＩＩＩを設定し、後に選択感知領域に生じる第三刺激点（ｘ３、ｙ３）を刺激位置として判断する。
【００６１】
感知時間の範囲は設定部２５０を通じて設定と変更とが可能である。
【００６２】
図６を参照して本発明によるディスプレイ装置の制御方法を説明する。まず、第一の刺激に対するセンシング信号を出力する第一刺激群の座標を演算する（Ｓ１０）。刺激群が複数の刺激点を含む場合、演算部３１０は複数の刺激点の座標の平均から第一刺激群の座標を算出する。
【００６３】
次に、第一刺激群の座標に基づいて第一感知領域Ｉを設定する（Ｓ２０）。第一感知領域Ｉは第一刺激群を含む長方形である。
【００６４】
また、演算部３１０は、第一感知領域Ｉの外周からなる内辺と第一感知領域Ｉより大きな長方形からなる外辺とを持つ第二感知領域ＩＩを設定する（Ｓ３０）。
【００６５】
その後、所定の感知時間の範囲の内に第二の刺激が生じた場合、第二の刺激が選択感知領域である第二感知領域ＩＩから生じたかを判断する（Ｓ４０）。
【００６６】
第二の刺激が第二感知領域ＩＩから生じたと判断した場合、第二刺激群の座標を刺激位置と判断し（Ｓ５０）、選択感知領域ではない感知領域Ｉ、ＩＩＩから第二の刺激が生じたと判断した場合、第一刺激群と第二刺激群との平均座標を刺激位置と判断する（Ｓ６０）。
【００６７】
使用者の設定により、第二刺激群が第一刺激群と同一の感知領域である第一感知領域から生じた場合、誤謬信号を出力してもよい。
【００６８】
その後、選択感知領域から第三の刺激が生じると（Ｓ７０）、誤謬信号を出力するか、刺激群が含む刺激点の数、すなわちセンシング電極の数により刺激位置を判断するか、または第二刺激群と第三刺激群との平均座標を刺激位置として判断する。すなわち、第三の刺激が生じるときの制御方法は使用者の望みにより様々な設定が可能である（Ｓ８０）。
【００６９】
前述のように本発明の実施形態が図示および説明されたが、本発明の属する技術分野の通常の知識を持つ者であれば本発明の原則や思想から離脱しなくて本実施形態の変形が可能であることは明らかである。本発明の範囲は請求項とその均等物とによって決められる。
【図面の簡単な説明】
【００７０】
【図１】本発明の第一実施形態によるディスプレイ装置の制御ブロック図である。
【図２】本発明の第一実施形態によるディスプレイ装置の感知領域を示す図面である。
【図３】本発明の第二実施形態によるディスプレイ装置の刺激群を示す図面である。
【図４】本発明の第三実施形態によるディスプレイ装置の第三刺激に対する制御方法を説明するための図面である。
【図５】本発明の第四実施形態によるディスプレイ装置の感知領域を示す図面である。
【図６】本発明によるディスプレイ装置の制御方法を説明するための図面である。
【符号の説明】
【００７１】
１００  表示パネル
１００ａ  画素基板
１１０  ゲート線
１２０  データ線
１３０  画素
１４０  センシング電極
１５０  共通電極
２１０  ゲート駆動部
２２０  データ駆動部
２３０  Ｙセンシング部
２４０  Ｘセンシング部
２５０  設定部
３００  信号制御部
３１０  演算部
３２０  位置判断部
【図１】
0005442973.tif 000002
【図２】
0005442973.tif 000003
【図３】
0005442973.tif 000004
【図４】
0005442973.tif 000005
【図５】
0005442973.tif 000006
【図６】
0005442973.tif 000007